(57)【要約】【課題】マンションのベランダで布団を干すとき日光が当たるようにした布団干し具を提供する。【解決手段】布団を乗せる布団台（１）と、これを乗せるスライド台（２）に布団台（１）を前後へ移動する機構を設け、布団台（１）をベランダの外側へ出す布団干し具。【選択図】図１
2013017824.tif 000002
【特許請求の範囲】
【請求項１】
布団を乗せる布団台（１）と、これを乗せるスライド台（２）に布団台（１）を前後に移動する機構を設けたことを特徴とする布団干し具。
【発明の詳細な説明】
【技術分野】
【０００１】この発明はベランダの布団干し具に関するものである。
【背景技術】
【０００２】従来、マンションのベランダでの布団干しは日陰が多いため布団に日光が当たるのは少しで、また、日当たりの時間も短かった。そのため日光を多く当てようとするには壁に掛けるしかなかった。しかしこれでも日当たりは布団の半分ぐらいであった。
【先行技術文献】
【特許文献】
【０００３】
【特許文献１】
【発明の概要】
【発明が解決しようとする課題】
【０００４】マンションのベランダでの布団干しは日当たりが少ないため布団を広げて全面に日光が当たるようにする。
【課題を解決するための手段】
【０００５】布団を広げて乗せる布団台（１）と、この布団台（１）を乗せるスライド台（２）に布団台（１）を前後に移動する機構を設け、布団台（１）をベランダから日当たりのよい外側へ出す布団干し具。
【発明の効果】
【０００６】マンションのベランダでの布団干しは日当たりが少ないが、本案の布団干し具では布団の全面に日光が当たるようになる。
【図面の簡単な説明】
【０００７】
【図１】本発明の概略斜視図である。
【図２】本発明の拡大側面図である。
【図３】押さえ棒
【発明を実施するための形態】
【０００８】本案は布団台（１）とこれを乗せる２本のスライド台（２）から成り、スライド台（２）の上を布団台（１）を前後に滑らせて移動するようにした布団干し具である。布団台（１）は周囲に枠を設け、長手側には穴（７）を複数あけ、底は網目状にし、下には軸穴とピン穴を１コづつ設けた補強材（３）を２本設け、この二つの穴の近くの網は切り欠き、ピン穴のところにはピン（５）を鎖でつなぎ、使わないときは挟んだりして下がらないようにする。スライド台（２）は上部に水平方向のスライド部を、縦方向には収納部を有し、この両部の中央に長いガイド（４）を設け、スライド部には複数のピン穴をあけ、収納部にはアンカー穴と下部にピン穴をあける。２本のスライド台（２）の取り付けは布団台（１）の２本の補強材（３）の間隔に合わし、スライド部をベランダから外へ向け、収納部をベランダの壁（９）にアンカーで固定する。スライド部に布団台（１）を乗せると網の切り欠きから補強材（３）の軸穴をガイド（４）に合わし軸（６）を通す。軸（６）はねじ付きにし、ナットをゆるめに締めた状態で外れないようにする。
使用するときは収納部にある布団台（１）をガイド（４）を滑らせてスライド部へ持っていき横にする。これに布団を広げ、日差しのところへ布団台（１）を移動したところで布団台（１）とスライド台（２）のピン穴を合わしピン（５）を通して止める。布団の落下防止に複数の押さえ棒（８）を前後の枠の穴（７）に通す。押さえ棒（８）の一端には当たりを付け、これとナットで枠を締めて抜け落ちないようにする。布団を取り入れるときはピン（５）を抜き、布団台（１）を手前に引き寄せて手前のピン穴にピン（５）を通して滑り止めをし、押さえ棒（８）を取り外す。布団を取り上げた後、ピン（５）を抜き、立ての収納部へ布団台（１）を滑らし収納する。
以上に実施例を示したがこれに限らず、スライド部はＣ型のレールにし、中にコロを入れて滑らすようにしてもよく、また、収納部の形状はＬ型でなくＴ型でもよい。押さえ棒（５）の止め方は一端をばねで穴に押し出すようにしてもよい。材質はプラスチック製でも鉄製でもよく、また、軽量化のため布団台（１）は全てを網目状にしてもよい。
【符号の説明】
【０００９】１  布団台
２  スライド台
３  補強材
４  ガイド
５  ピン
６  軸
７  穴
８  押さえ棒
９  壁
【図１】
2013017824.tif 000003
【図２】
2013017824.tif 000004
【図３】
2013017824.tif 000005
【手続補正書】
【提出日】平成24年10月2日(2012.10.2)
【手続補正１】
【補正対象書類名】図面
【補正対象項目名】全図
【補正方法】変更
【補正の内容】
【図１】
2013017824.tif 000006
【図２】
2013017824.tif 000007
【図３】
2013017824.tif 000008
【図４】
2013017824.tif 000009
【手続補正２】
【補正対象書類名】明細書
【補正対象項目名】全文
【補正方法】変更
【補正の内容】
【発明の詳細な説明】
【技術分野】
【０００１】この発明はベランダの布団干し具に関するものである。
【背景技術】
【０００２】従来、マンションのベランダでの布団干しは日陰が多いため布団に日光が当たるのは少しで、また、日当たりの時間も短かった。そのため日光を多く当てようとするには壁に掛けるしかなかった。しかしこれでも日当たりは布団の半分ぐらいであった。
【先行技術文献】
【特許文献】
【０００３】
【特許文献１】
【発明の概要】
【発明が解決しようとする課題】
【０００４】マンションのベランダでの布団干しは日当たりが少ないため布団を広げて全面に日光が当たるようにする。
【課題を解決するための手段】
【０００５】布団を広げて乗せる布団台（１）と、この布団台（１）を乗せるスライド台（２）に布団台（１）を前後に移動する機構を設け、布団台（１）をベランダから日当たりのよい外側へ出す布団干し具。
【発明の効果】
【０００６】マンションのベランダでの布団干しは日当たりが少ないが、本案の布団干し具では布団の全面に日光が当たるようになる。
【図面の簡単な説明】
【０００７】
【図１】本発明の概略斜視図である。
【図２】本発明の拡大側面図である。
【図３】本発明の拡大正面図である。
【図４】押さえ棒
【発明を実施するための形態】
【０００８】本案は布団台（１）とこれを乗せる２本のスライド台（２）から成り、スライド台（２）の上を布団台（１）を前後に滑らせて移動するようにした布団干し具である。布団台（１）は周囲に枠を設け、長手側には穴（７）を複数あけ、底は網目状にし、下には軸穴とピン穴を１コづつ設けた補強材（３）を２本設け、この二つの穴の近くの網は切り欠き、ピン穴のところにはピン（５）を鎖でつなぎ、使わないときは挟んだりして下がらないようにする。スライド台（２）は上部に水平方向のスライド部を、縦方向には収納部を有し、この両部の中央に長いガイド（４）を設け、スライド部には複数のピン穴をあけ、収納部にはアンカー穴と下部にピン穴をあける。２本のスライド台（２）の取り付けは布団台（１）の２本の補強材（３）の間隔に合わし、スライド部をベランダから外へ向け、収納部をベランダの壁（９）にアンカーで固定する。スライド部に布団台（１）を乗せると網の切り欠きから補強材（３）の軸穴をガイド（４）に合わし軸（６）を通す。軸（６）はねじ付きにし、ナットをゆるめに締めた状態で外れないようにする。
使用するときは収納部にある布団台（１）をガイド（４）を滑らせてスライド部へ持っていき横にする。これに布団を広げ、日差しのところへ布団台（１）を移動したところで布団台（１）とスライド台（２）のピン穴を合わしピン（５）を通して止める。布団の落下防止に複数の押さえ棒（８）を前後の枠の穴（７）に通す。押さえ棒（８）の一端には当たりを付け、これとナットで枠を締めて抜け落ちないようにする。布団を取り入れるときはピン（５）を抜き、布団台（１）を手前に引き寄せて手前のピン穴にピン（５）を通して滑り止めをし、押さえ棒（８）を取り外す。布団を取り上げた後、ピン（５）を抜き、立ての収納部へ布団台（１）を滑らし収納する。
以上に実施例を示したがこれに限らず、スライド部はＣ型のレールにし、中にコロを入れて滑らすようにしてもよく、また、収納部の形状はＬ型でなくＴ型でもよい。押さえ棒（５）の止め方は一端をばねで穴に押し出すようにしてもよい。材質はプラスチック製でも鉄製でもよく、また、軽量化のため布団台（１）は全てを網目状にしてもよい。
【符号の説明】
【０００９】１布団台
２スライド台
３補強材
４ガイド
５ピン
６軸
７穴
８押さえ棒
９壁